(57)【要約】【課題】コネクタ本体の高さ寸法を含む基板の厚さ寸法を小さくすることのできるコネクタを提供する。【解決手段】端子１２，２２の一端側が配置されるコネクタ本体１１，２１の一部（可動部１１ａ及び突出部２１ａの下部側）を基板１の切り欠き部１ａ内に配置されるように形成し、基板１上に配置されるコネクタ本体１１，２１の他の部分を、切り欠き部１ａ内に配置される部分よりも基板１の厚さ方向の寸法が小さくなるように形成したので、各コネクタ本体１１，２１の高さ寸法を含む基板１の全体の厚さ寸法を小さくすることができ、例えば薄型テレビのように基板１の厚さ方向の基板配置スペースが小さい機器においても、コネクタ１０，２０が取り付けられた基板１を基板配置スペースの制約を受けることなく設置することができる。【選択図】図２２
2012059360.tif 000002
【特許請求の範囲】
【請求項１】
一端側を相手側コネクタに接続される端子と、端子を保持するコネクタ本体とを備え、端子の他端側を基板に接続するようにしたコネクタにおいて、
前記端子の一端側が配置されるコネクタ本体の一部を、基板の端部に設けた切り欠き部内に配置可能に形成し、
基板上に配置されるコネクタ本体の他の部分を、切り欠き部内に配置される部分よりも基板の厚さ方向の寸法が小さくなるように形成した
ことを特徴とするコネクタ。
【請求項２】
前記コネクタ本体及び端子を、基板の切り欠き部内に配置される部分が基板に固定される部分に対して所定方向に変位可能に形成した
ことを特徴とする請求項１記載のコネクタ。
【請求項３】
前記コネクタ本体に、相手側コネクタに係合してコネクタ本体の接続解除向への移動を規制する係合部を設けた
ことを特徴とする請求項１または２記載のコネクタ。
【請求項４】
互いに厚さ方向一方の面同士が同一平面をなすように配置される一対の基板を接続するコネクタにおいて、
一方の基板に取り付けられる雄側コネクタと、他方の基板に取り付けられる雌側コネクタとを備え、
雄側コネクタ及び雌側コネクタを請求項１、２または３記載のコネクタによって形成した
ことを特徴とするコネクタ。
【請求項５】
互いに接続された雄側コネクタ及び雌側コネクタの各コネクタ本体に装着することにより、各コネクタ本体の接続解除方向への移動を規制するロック部材を備えた
ことを特徴とする請求項４記載のコネクタ。
【請求項６】
前記ロック部材を雄側コネクタ及び雌側コネクタの各コネクタ本体の周囲に配置される枠状の部材によって形成した
ことを特徴とする請求項５記載のコネクタ。
【請求項７】
基板にケーブルを接続するコネクタにおいて、
基板に取り付けられる基板側コネクタと、ケーブルの一端に取り付けられるケーブル側コネクタとを備え、
基板側コネクタを請求項１、２または３記載のコネクタによって形成し、
ケーブル側コネクタを請求項１、２または３記載のコネクタの少なくとも一部の部品を用いて形成した
ことを特徴とするコネクタ。
【請求項８】
前記基板側コネクタを雄側コネクタによって形成し、ケーブル側コネクタを雌側コネクタによって形成した
ことを特徴とする請求項７記載のコネクタ。
【発明の詳細な説明】
【技術分野】
【０００１】
本発明は、例えばＬＥＤ用基板の端部に取り付けられ、基板同士を接続するためのコネクタに関するものである。
【背景技術】
【０００２】
従来、複数の基板を互いに電子部品等の実装面が同一平面をなすように配置して接続する場合には、各基板の両端にそれぞれ雄側コネクタと雌側コネクタを取り付け、各基板の雄側コネクタと雌側コネクタとを嵌合することにより、基板同士を接続するようにしたものが知られている（例えば、特許文献１参照）。
【先行技術文献】
【特許文献】
【０００３】
【特許文献１】実用新案登録第３０９２６１０号公報
【発明の概要】
【発明が解決しようとする課題】
【０００４】
ところで、前記従来のコネクタでは、雄側または雌側コネクタを基板の実装面上に取り付けているため、基板の設置場所には基板の厚さ寸法にコネクタの高さ寸法を加えたスペースが必要となる。この場合、例えば薄型テレビ内に配置されるＬＥＤ用の基板においては、高さ寸法が１ｍｍ程度の小型のＬＥＤが実装されるが、コネクタは相手側コネクタとの接続部分の高さ寸法を十分に確保する必要があるため、ＬＥＤの高さ寸法よりもコネクタ本体の高さ寸法が大きくなる。このため、コネクタを基板の実装面上に取り付けた場合、コネクタ本体の高さ寸法を含む基板全体の厚さ寸法がＬＥＤのみを実装した基板全体の厚さ寸法よりも大きくなり、薄型テレビのように基板の厚さ方向に基板配置スペースの小さい機器では、ＬＥＤ用基板の設置が困難になるという問題点があった。
【０００５】
本発明は前記問題点に鑑みてなされたものであり、その目的とするところは、コネクタ本体の高さ寸法を含む基板の厚さ寸法を小さくすることのできるコネクタを提供することにある。
【課題を解決するための手段】
【０００６】
本発明は前記目的を達成するために、一端側を相手側コネクタに接続される端子と、端子を保持するコネクタ本体とを備え、端子の他端側を基板に接続するようにしたコネクタにおいて、前記端子の一端側が配置されるコネクタ本体の一部を、基板の端部に設けた切り欠き部内に配置可能に形成し、基板上に配置されるコネクタ本体の他の部分を、切り欠き部内に配置される部分よりも基板の厚さ方向の寸法が小さくなるように形成している。
【０００７】
これにより、接続部分の高さ寸法を十分に確保するために、端子の一端側が配置されるコネクタ本体の一部を他の部分よりも厚さ寸法が大きくなるように形成した場合でも、端子の一端側が配置されるコネクタ本体の一部を基板の切り欠き部内に配置することにより、コネクタ本体を含む基板の全体の厚さ寸法がコネクタ全体を基板上に載置したものに比べて小さくなる。
【発明の効果】
【０００８】
本発明によれば、コネクタ本体を含む基板の全体の厚さ寸法をコネクタ全体が基板上に載置されたものに比べて小さくすることができるので、例えば薄型テレビのように基板の厚さ方向の基板配置スペースが小さい機器においても、コネクタが取り付けられた基板を基板配置スペースの制約を受けることなく設置することができる。
【図面の簡単な説明】
【０００９】
【図１】本発明の一実施形態を示す雄側コネクタの上面側斜視図
【図２】雄側コネクタの下面側斜視図
【図３】雄側コネクタの正面図
【図４】雄側コネクタの平面図
【図５】雄側コネクタの側面図
【図６】雄側コネクタの側面断面図
【図７】雄側端子の斜視図
【図８】本発明の一実施形態を示す雌側コネクタの上面側斜視図
【図９】雌側コネクタの下面側斜視図
【図１０】雌側コネクタの正面図
【図１１】雌側コネクタの平面図
【図１２】雌側コネクタの側面図
【図１３】雌側コネクタの側面断面図
【図１４】雌側端子の斜視図
【図１５】ロック部材の斜視図
【図１６】基板の要部斜視図
【図１７】雄側コネクタの基板取付状態を示す斜視図
【図１８】雌側コネクタの基板取付状態を示す斜視図
【図１９】雄側コネクタ及び雌側コネクタの接続状態を示す斜視図
【図２０】ロック部材を装着したコネクタの斜視図
【図２１】コネクタの接続状態を示す側面断面図
【図２２】コネクタで接続された基板の平面図
【図２３】コネクタ及び基板の一部断面側面図
【図２４】本発明の他の実施形態を示すケーブル側コネクタの上面側斜視図
【図２５】ケーブル側コネクタの下面側斜視図
【図２６】ケーブル側コネクタの側面図
【図２７】ケーブル側コネクタの側面断面図
【図２８】ケーブル側コネクタに用いるコネクタ本体の側面図
【図２９】雄側コネクタ及びケーブル側コネクタの接続状態を示す斜視図
【発明を実施するための形態】
【００１０】
図１乃至図２３は本発明の一実施形態を示すものである。同図に示すコネクタは、互いに部品実装面が同一平面をなすように配置される複数のＬＥＤ用の基板１を接続するためのものである。
【００１１】
基板１は、ＬＥＤ配列方向に長く延びる平板状に形成され、その厚さ方向一方の面（部品実装面）には複数のＬＥＤ２が互いに基板１の長手方向に間隔をおいて実装されている。基板１の長手方向両端部には、後述するコネクタを取り付けるための切り欠き部１ａが設けられ、切り欠き部１ａの幅方向両側にはそれぞれ金属面からなるコネクタ固定部１ｂが設けられている。また、切り欠き部１ａの後方には、コネクタの端子が接続される幅方向一対の端子接続部１ｃが設けられ、各端子接続部１ｃは基板１の内部に設けられた導電部（図示せず）を介して各ＬＥＤ２に導通している。また、基板１にはコネクタが係合する幅方向一対の孔１ｄが設けられている。
【００１２】
本実施形態のコネクタは、隣り合う一対の基板１のうちの一方の基板１に取り付けられる雄側コネクタ１０と、他方の基板１に取り付けられる雌側コネクタ２０と、各コネクタ１０，２０の接続解除方向への移動を規制するロック部材３０とを備え、雄側コネクタ１０及び雌側コネクタ２０は互いに同一の幅寸法に形成されている。
【００１３】
雄側コネクタ１０は、合成樹脂の成型品からなるコネクタ本体１１と、コネクタ本体１１に保持された一対の端子１２と、コネクタ本体１１に取り付けられた一対の固定部材１３とから構成されている。
【００１４】
コネクタ本体１１は、端子１２の一端側が配置される可動部１１ａを前端側に有し、可動部１１ａは幅方向一対の弾性部１１ｂを介してコネクタ本体１１の後端側に支持されている。可動部１１ａは、その前端側に雌側コネクタ２０が嵌合する凹部１１ｃを有し、凹部１１ｃの幅方向両側には雌側コネクタ２０に係合する幅方向一対の係合部１１ｄが凹部１１ｃの内側に向かって突設されている。弾性部１１ｂは可動部１１ａの前端側（凹部１１ｃの幅方向両側）からコネクタ本体１１の後端側に向かって延びるように形成され、弾性部１１ｂの弾性変形により、可動部１１ａがコネクタ本体１１の後端側に対して上下方向、前後方向及び幅方向に変位可能になっている。コネクタ本体１１の後端側には、ロック部材３０に係合する幅方向一対の第１の突起１１ｅが設けられ、第１の突起１１ｅはコネクタ本体１１の両側面に突設されている。また、コネクタ本体１１の後端側には、基板１の孔１ｄに挿入される幅方向一対の第２の突起１１ｆが設けられ、第２の突起１１ｆはコネクタ本体１１の下面に突設されている。コネクタ本体１１は、その上面が全体的に平面状をなすように形成され、その下面（第２の突起１１ｆを除く）は可動部１１ａの下部側のみが下方に突出するように形成されている。即ち、コネクタ本体１１は、可動部１１ａの下部側が基板１の切り欠き部１ａ内に配置され、他の部分は基板１上に配置されるように形成されている。この場合、コネクタ本体１１の基板１上に配置される部分は、ＬＥＤ２と同等の高さ寸法に形成され、可動部１１ａは下端側が基板１の下面よりも下方に突出しない高さ寸法に形成されている。
【００１５】
端子１２は、板厚方向が雄側コネクタ１０の幅方向となるように形成された導電性の金属板からなり、その前後方向の一端側はコネクタ本体１１の可動部１１ａに固定され、その他端側はコネクタ本体１１の後端側に固定されている。端子１２の一端側には、雌側コネクタ２０に接触する接触部１２ａと、可動部１１ａに圧入される第１の固定片部１２ｂとが設けられている。接触部１２ａは平板状に形成され、可動部１１ａの凹部１１ｃ内に突出するように設けられている。第１の固定片部１２ｂは接触部１２ａの後方に設けられ、上方に向かって突出するように形成されている。端子１２の他端側には、基板１に接続される接続部１２ｃと、コネクタ本体１１の後端側に圧入される第２の固定片部１２ｄとが設けられている。接続部１２ｃは接触部１２ａの下部よりも上方に位置し、後方に向かって延出するように形成されている。第２の固定片部１２ｄは接続部１２ｃの前方に設けられ、上方に向かって突出するように形成されている。端子１２の一端側と他端側との間にはＳ字状の弾性部１２ｅが設けられ、弾性部１２ｅの弾性変形により、端子１２の一端側が他端側に対して上下方向、前後方向及び幅方向に変位可能になっている。
【００１６】
固定部材１３は逆Ｕ字状に屈曲した金属板からなり、コネクタ本体１１の幅方向両側に配置されている。固定部材１３は、その一端側に基板１のコネクタ固定部１ｂに接合される接合部１３ａを有し、その他端側をコネクタ本体１１の後端側に圧入することにより、コネクタ本体１１に取り付けられている。
【００１７】
雌側コネクタ２０は、合成樹脂の成型品からなるコネクタ本体２１と、コネクタ本体２１に保持された一対の端子２２と、コネクタ本体２１に取り付けられた一対の固定部材２３とから構成されている。
【００１８】
コネクタ本体２１は、端子２２の一端側が配置される突出部２１ａを前端側に有し、突出部２１ａの前面には雄側コネクタ１０の各端子１２がそれぞれ挿入される一対の挿入孔２１ｂが設けられている。突出部２１ａの前端側には雄側コネクタ１０に嵌合する凸部２１ｃが設けられ、凸部２１ｃの幅方向両側には雄側コネクタ１０の係合部１１ｄと係合する幅方向一対の係合部２１ｄが凹状をなすように設けられている。コネクタ本体２１の後端側には、ロック部材３０に係合する幅方向一対の第１の突起２１ｅが設けられ、第１の突起２１ｅはコネクタ本体２１の両側面に突設されている。また、コネクタ本体２１の後端側には、基板１の孔１ｄに挿入される幅方向一対の第２の突起２１ｆが設けられ、第２の突起２１ｆはコネクタ本体２１の下面に突設されている。コネクタ本体２１は、その上面が全体的に平面状をなすように形成され、その下面（第２の突起２１ｆを除く）は突出部２１ａの下部側のみが下方に突出するように形成されている。即ち、コネクタ本体２１は、突出部２１ａの下部側が基板１の切り欠き部１ａ内に配置され、他の部分は基板１上に配置されるように形成されている。この場合、コネクタ本体２１の基板１上に配置される部分は、ＬＥＤ２と同等の高さ寸法に形成され、突出部２１ａは下端側が基板１の下面よりも下方に突出しない高さ寸法に形成されている。
【００１９】
端子２２は、板厚方向が雌側コネクタ２０の上下方向となるように形成された導電性の金属板からなり、その前後方向の一端側はコネクタ本体２１の突出部２１ａに固定され、その他端側はコネクタ本体２１の後端側に配置されている。端子２２の一端側には、雄側コネクタ１０に接触する接触部２２ａと、突出部２１ａに圧入される固定片部２２ｂが設けられている。接触部２２ａは前方に向かって突出する二股状に形成され、突出部２１ａ内に配置されている。固定片部２２ｂは接触部２２ａの後方に設けられ、幅方向両側が突出部２１ａ内に圧接するようになっている。端子２２の他端側には、基板１に接続される接続部２２ｃが設けられ、接続部２２ｃは接触部２２ａよりも上方に位置するように固定片部２２ｂとの間が屈曲している。
【００２０】
固定部材２３は、雄側コネクタ１０の固定部材１３と同様、逆Ｕ字状に屈曲した金属板からなり、コネクタ本体２１の幅方向両側に配置されている。固定部材２３は、その一端側に基板１のコネクタ固定部１ｂに接合される接合部２３ａを有し、その他端側をコネクタ本体２１の後端側に圧入することにより、コネクタ本体２１に取り付けられている。
【００２１】
ロック部材３０は、互いに嵌合した雄側コネクタ１０及び雌側コネクタ２０の各コネクタ本体１１，２１を前後方向及び幅方向から囲むように各コネクタ本体１１，２１の周囲に配置される四角形状の枠状に形成され、各コネクタ本体１１，２１に上方から係合するようになっている。この場合、ロック部材３０は、各コネクタ本体１１，２１の基板１上に配置される部分と同等の高さ寸法に形成されている。ロック部材３０の幅方向両側には、各コネクタ本体１１，２１の第１の突起１１ｅ，２１ｅが係合する複数の係合孔３０ａと、各コネクタ１０，２０の接合部１３ａ，２３ａを上方から受容する凹部３０ｂがそれぞれ前後一対ずつ設けられている。また、ロック部材３０の前端側及び後端側には、各コネクタ１０，２０の接続部１２ｃ，２２ｃを上方から受容する凹部３０ｃがそれぞれ幅方向一対ずつ設けられている。
【００２２】
以上のように構成されたコネクタにおいて、雄側コネクタ１０を一方の基板１に取り付ける場合は、雄側コネクタ１０を可動部１１ａの下部側が基板１の切り欠き部１ａ内に配置されるように基板１上に載置し、基板１の各孔１ｄに第２の突起１１ｆを挿入して位置合わせする。次に、各固定部材１３の接合部１３ａを基板１のコネクタ固定部１ｂに半田付けによって接合し、各端子１２の接続部１２ｃを基板１の端子接続部１ｃに半田付けによって接続する。これにより、図１７に示すように雄側コネクタ１０が一方の基板１の端部に取り付けられる。また、雌側コネクタ２０を他方の基板１に取り付ける場合は、雌側コネクタ２０を突出部２１ａの下部側が基板１の切り欠き部１ａ内に配置されるように基板１上に載置し、基板１の各孔１ｄに第２の突起２１ｆを挿入して位置合わせする。次に、各固定部材２３の接合部２３ａを基板１のコネクタ固定部１ｂに半田付けによって接合し、各端子２２の接続部２２ｃを基板１の端子接続部１ｃに半田付けによって接続する。これにより、図１８に示すように雌側コネクタ２０が他方の基板１の端部に取り付けられる。
【００２３】
次に、各基板１を互いに接続する場合は、雄側コネクタ１０の凹部１１ｃと雌側コネクタ２０の凸部２１ｃとを嵌合することにより、図１９に示すように各基板１の雄側コネクタ１０と雌側コネクタ２０とが接続される。その際、雄側コネクタ１０の凹部１１ｃに雌側コネクタ２０の凸部２１ｃを挿入すると、雄側コネクタ１０の各弾性部１１ｂが互いに幅方向に開くように弾性変形し、雄側コネクタ１０の各係合部１１ｄが雌側コネクタ２０の凸部２１ｃの先端側を乗り越えて、雌側コネクタ２０の係合部２１ｄに係合する。これにより、雄側コネクタ１０と雌側コネクタ２０が互いにロックされる。また、前記接続の際、雄側コネクタ１０の各端子１２の接触部１２ａが雌側コネクタ２０の二股状の接触部２２ａに挟持されるように接触し、各端子１２，２２が互いに導通して各基板１のＬＥＤ回路が互いに接続される。
【００２４】
ここで、互いに接続された雄側コネクタ１０及び雌側コネクタ２０の各コネクタ本体１１，２１にロック部材３０を装着することにより、図２０に示すように各コネクタ１０，２０が接続解除方向への移動を規制されて確実にロックされる。その際、ロック部材３０の内側に各コネクタ本体１１，２１が配置されると、各コネクタ本体１１，２１の各第１の突起１１ｅ，２１ｅがロック部材３０の係合孔３０ａに係合し、ロック部材３０が各コネクタ本体１１，２１に保持される。
【００２５】
更に、各コネクタ１０，２０の接続時または接続後に、各基板１が互いに位置ずれを生じた場合には、雄側コネクタ１０の可動部１１ａが弾性部１１ｂの弾性変形によりコネクタ本体１１の後端側に対して上下方向、前後方向または幅方向に変位し、各基板１同士の位置ずれが吸収される。
【００２６】
尚、３つ以上の基板１を接続する場合は、図２２に示すように各基板１の長手方向両端部にそれぞれ雄側コネクタ１０と雌側コネクタ２０を取り付けることにより、各基板１が直列に接続される。
【００２７】
前述のように基板１同士を接続すると、雄側コネクタ１０、雌側コネクタ２０及びロック部材３０は互いに上面が同一平面をなすように配置される。その際、各コネクタ１０，２０の可動部１１ａ及び突出部２１ａは、接続部分の高さ寸法を十分に確保するために他の部分よりも厚さ寸法が大きく形成されているが、可動部１１ａ及び突出部２１ａの下部側は各基板１の切り欠き部１ａ内に配置され、基板１上に配置される他の部分はＬＥＤ２と同等の高さ寸法に形成されているので、図２３に示すように各コネクタ１０，２０のコネクタ本体１１，２１及びロック部材３０を含む基板１の全体の厚さ寸法Ｈ1 がＬＥＤ２と基板１の全体の厚さ寸法Ｈ2 を超えることはない。
【００２８】
このように、本実施形態のコネクタによれば、端子１２，２２の一端側が配置されるコネクタ本体１１，２１の一部（可動部１１ａ及び突出部２１ａの下部側）を基板１の切り欠き部１ａ内に配置されるように形成し、基板１上に配置されるコネクタ本体１１，２１の他の部分を、切り欠き部１ａ内に配置される部分よりも基板１の厚さ方向の寸法が小さくなるように形成したので、各コネクタ本体１１，２１を含む基板１の全体の厚さ寸法Ｈ1 がＬＥＤ２と基板１の全体の厚さ寸法Ｈ2 を超えることがなく、例えば薄型テレビのように基板１の厚さ方向の基板配置スペースが小さい機器においても、コネクタ１０，２０が取り付けられた基板１を基板配置スペースの制約を受けることなく設置することができる。
【００２９】
また、雄側コネクタ１０のコネクタ本体１１及び端子１２を、切り欠き部１ａ内に配置される部分（可動部１１ａ）が基板１に固定される部分（コネクタ本体１１の後端側）に対して所定方向に変位可能に形成したので、各基板１が互いに位置ずれを生じた場合でも、各基板１同士の位置ずれを吸収することができ、位置ずれによるコネクタ固定部の剥離やコネクタの破損を効果的に防止することができる。
【００３０】
更に、各コネクタ本体１１，２１に、互いに係合して各コネクタ１０，２０の接続解除向への移動を規制する係合部１１ｄ，２１ｄを設けたので、各コネクタ本体１１，２１を嵌合状態でロックすることができ、各コネクタ１０，２０の接続が容易に解除されることがないという利点がある。この場合、雄側コネクタ１０の係合部１１ｄが弾性部１１ｂを弾性変形させながら雌側コネクタ２０の凸部２１ｃを乗り越えることにより、雌側コネクタ２０の係合部２１ｄに係合するようにしたので、各係合部１１ｄ，２１ｄが互いに係合した際の感触を弾性部１１ｂの復元力により確実に得ることができ、不完全挿入による接続不良を効果的に防止することができる。また、各基板１同士の位置ずれを吸収するために可動部１１ａの変位を許容する機能と、各係合部１１ｄ，２１ｄを係合させる際に係合部１１ｄの変位を許容する機能とを、何れも弾性部１１ｂの弾性変形によって達成することができるので、このような機能を備えたコネクタ本体１１をコンパクトに形成することができる。
【００３１】
また、互いに接続された雄側コネクタ１０及び雌側コネクタ２０の各コネクタ本体１１，２１にロック部材３０を装着することにより、ロック部材３０によって各コネクタ本体１１，２１の接続解除方向への移動を規制するようにしたので、各コネクタ本体１１，２１を嵌合状態で確実にロックすることができ、各コネクタ１０，２０の接続解除をより効果的に防止することができる。
【００３２】
この場合、ロック部材３０を雄側コネクタ１０及び雌側コネクタ２０の各コネクタ本体１１，２１の周囲に配置される枠状の部材によって形成したので、各コネクタ本体１１，２１を嵌合状態で確実に拘束することができるとともに、ロック部材３０を各コネクタ本体１１，２１よりも高さ寸法が大きくならないように形成することができ、各コネクタ１０，２０の高さ方向の小型化に極めて有利である。
【００３３】
図２４乃至図２９は本発明の他の実施形態を示すものである。同図に示すコネクタは、互いに部品実装面が同一平面をなすように配置される複数のＬＥＤ用の基板１のうち、末端に配置される基板１と給電用のケーブル３とを接続するためのものである。尚、前記実施形態と同等の構成部分には同一の符号を付して示す。
【００３４】
本実施形態のコネクタは、基板１の長手方向一端部に取り付けられる基板側コネクタ４０と、二本一組のケーブル３の一端に付けられるケーブル側コネクタ５０とを備えている。尚、基板側コネクタ４０は、前記実施形態の雄側コネクタ１０と同等の構成を有するものであるため、その構成については説明を省略する。
【００３５】
ケーブル３は、導線３ａを被覆３ｂで被覆した二本の電線からなり、図示しない電源から基板１のＬＥＤ２に電力を供給するようになっている。
【００３６】
基板側コネクタ４０は、前記実施形態の雄側コネクタ１０と同等の構成からなるため、その構成については詳細な説明を省略する。即ち、基板側コネクタ４０は前記実施形態の雄側コネクタ１０と同様のコネクタ本体４１、一対の端子（図示せず）及び固定部材４２とを備えている。
【００３７】
ケーブル側コネクタ５０は、合成樹脂の成型品からなるコネクタ本体５１と、コネクタ本体１１に保持された一対の端子５２と、コネクタ本体５１に一体に設けられたケーブル保持部５３とを備え、前記実施形態の雌側コネクタ２０の一部の部品（コネクタ本体２１及び端子２２）を用いて構成されている。尚、ケーブル側コネクタ５０のコネクタ本体５１及び端子５２は、前記実施形態のコネクタ本体２１及び端子２２と同等の構成を有するものであるため、その構成については詳細な説明を省略する。
【００３８】
コネクタ本体５１は、前記実施形態と同様の突出部５１ａ、挿入孔５１ｂ、凸部５１ｃ及び係合部５１ｄを有し、前記実施形態の固定部材２３は取り付けられていない。
【００３９】
端子５２は、前記実施形態と同様の接触部５２ａ、固定片部５２ｂ及び接続部５２ｃを有し、接続部５２ｃには、先端部の被覆３ｂを除去されたケーブル３の導線３ａが接続されている。
【００４０】
ケーブル保持部５３は合成樹脂の成型品からなり、コネクタ本体５１の後端側にインサート成形によって一体に形成されている。即ち、ケーブル保持部５３は、各端子５２に接続されたケーブル３の一端側を覆うようにコネクタ本体５１に一体に設けられ、その上面、下面及び両側面はコネクタ本体５１の上面、下面及び両側面と同一平面をなすように形成されている。
【００４１】
以上のように構成されたコネクタにおいては、前記実施形態と同様、基板側コネクタ４０が基板１に取り付けられ、図２９に示すように基板側コネクタ４０にはケーブル側コネクタ５０が接続される。これにより、基板側コネクタ４０の各端子がケーブル側コネクタ５０の各端子４２に接触し、各ケーブル３が基板１のＬＥＤ回路に接続される。
【００４２】
このように、本実施形態のコネクタによれば、基板１に取り付けられた基板側コネクタ４０に接続されるケーブル側コネクタ５０を、前記実施形態の基板用の雌側コネクタ２０の一部の部品（コネクタ本体２１及び端子２２）を用いて構成するようにしたので、相手側のコネクタが共通する雌側コネクタ２０と部品を共通化することができ、ケーブル側コネクタ５０を容易に製造することができる。
【００４３】
この場合、基板側コネクタ４０は、前記実施形態の雄側コネクタ１０と同様、コネクタ本体４１の一部を基板１の切り欠き部１ａ内に配置されるように形成されるとともに、基板１上に配置されるコネクタ本体４１の他の部分を、切り欠き部１ａ内に配置される部分よりも基板１の厚さ方向の寸法が小さくなるように形成され、ケーブル側コネクタ５０も前記実施形態の雌側コネクタと同様の高さ寸法に形成されているので、前記実施形態と同様、各コネクタ本体４１，５１を含む基板１の全体の厚さ寸法がＬＥＤ２と基板１の全体の厚さ寸法を超えることがなく、コネクタ４０，５０が取り付けられた基板１を基板配置スペースの制約を受けることなく設置することができる。
【００４４】
また、一般に雌側コネクタは雄側コネクタに比べ、挿抜時に端子の変形を生ずるため破損しやすいが、本実施形態のケーブル側コネクタ５０は雌側コネクタとして構成されているので、基板１に取り付けられた基板側コネクタ４０（雄側コネクタ）よりも交換が容易であり、破損時の交換作業を容易に行うことができる。
【００４５】
尚、本実施形態では、破損時の交換容易性を考慮してケーブル側コネクタ５０を雌側コネクタとして構成したものを示したが、前記実施形態の雄側コネクタ１０の一部の部品を用いてケーブル側コネクタを構成することも可能である。
【００４６】
また、本実施形態では、ケーブル保持部５３をインサート成形によってコネクタ本体５１に一体に形成したものを示したが、ケーブル保持部としての単体の部品をコネクタ本体５１とは別体に形成し、コネクタ本体５１に装着するようにしてもよい。
【００４７】
更に、前記各実施形態では、ＬＥＤ基板用のコネクタを示したが、本発明はＬＥＤ以外の基板用のコネクタにも適用することができる。
【符号の説明】
【００４８】
１…基板、１ａ…切り欠き部、２…ＬＥＤ、３…ケーブル、１０…雄側コネクタ、１１…コネクタ本体、１１ａ…可動部、１１ｄ…係合部、１２…端子、２０…雌側コネクタ、２１…コネクタ本体、２１ａ…可動部、２１ｄ…係合部、２２…端子、３０…ロック部材、４０…雄側コネクタ、４１…コネクタ本体、５０…ケーブル側コネクタ、５１…コネクタ本体、５２…端子。
【図１】
2012059360.tif 000003
【図２】
2012059360.tif 000004
【図３】
2012059360.tif 000005
【図４】
2012059360.tif 000006
【図５】
2012059360.tif 000007
【図６】
2012059360.tif 000008
【図７】
2012059360.tif 000009
【図８】
2012059360.tif 000010
【図９】
2012059360.tif 000011
【図１０】
2012059360.tif 000012
【図１１】
2012059360.tif 000013
【図１２】
2012059360.tif 000014
【図１３】
2012059360.tif 000015
【図１４】
2012059360.tif 000016
【図１５】
2012059360.tif 000017
【図１６】
2012059360.tif 000018
【図１７】
2012059360.tif 000019
【図１８】
2012059360.tif 000020
【図１９】
2012059360.tif 000021
【図２０】
2012059360.tif 000022
【図２１】
2012059360.tif 000023
【図２２】
2012059360.tif 000024
【図２３】
2012059360.tif 000025
【図２４】
2012059360.tif 000026
【図２５】
2012059360.tif 000027
【図２６】
2012059360.tif 000028
【図２７】
2012059360.tif 000029
【図２８】
2012059360.tif 000030
【図２９】
2012059360.tif 000031
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
一端側を相手側コネクタに接続される端子と、端子を保持するコネクタ本体とを備え、端子の他端側を基板に接続するようにしたコネクタにおいて、
前記端子の一端側が配置されるコネクタ本体の一部を、基板の端部に設けた切り欠き部内に配置可能に形成し、
基板の一方の面上に配置されるコネクタ本体の他の部分を、切り欠き部内に配置される部分よりも基板の厚さ方向の寸法が小さくなるように形成した
ことを特徴とするコネクタ。
【請求項２】
前記コネクタ本体を、基板の切り欠き部内に配置される部分が基板の他方の面から外部に突出しないように形成した
ことを特徴とする請求項１記載のコネクタ。
【請求項３】
前記コネクタ本体及び端子を、基板の切り欠き部内に配置される部分が基板に固定される部分に対して所定方向に変位可能に形成した
ことを特徴とする請求項１または２記載のコネクタ。
【請求項４】
前記コネクタ本体に、相手側コネクタに係合してコネクタ本体の接続解除向への移動を規制する係合部を設けた
ことを特徴とする請求項１、２または３記載のコネクタ。
【請求項５】
互いに厚さ方向一方の面同士が同一平面をなすように配置される一対の基板を接続するコネクタにおいて、
一方の基板に取り付けられる雄側コネクタと、他方の基板に取り付けられる雌側コネクタとを備え、
雄側コネクタ及び雌側コネクタを請求項１、２、３または４記載のコネクタによって形成した
ことを特徴とするコネクタ。
【請求項６】
互いに接続された雄側コネクタ及び雌側コネクタの各コネクタ本体に装着することにより、各コネクタ本体の接続解除方向への移動を規制するロック部材を備えた
ことを特徴とする請求項５記載のコネクタ。
【請求項７】
前記ロック部材を雄側コネクタ及び雌側コネクタの各コネクタ本体の周囲に配置される枠状の部材によって形成した
ことを特徴とする請求項６記載のコネクタ。
【請求項８】
基板にケーブルを接続するコネクタにおいて、
基板に取り付けられる基板側コネクタと、ケーブルの一端に取り付けられるケーブル側コネクタとを備え、
基板側コネクタを請求項１、２、３または４記載のコネクタによって形成し、
ケーブル側コネクタを請求項１、２、３または４記載のコネクタの少なくとも一部の部品を用いて形成した
ことを特徴とするコネクタ。
【請求項９】
前記基板側コネクタを雄側コネクタによって形成し、ケーブル側コネクタを雌側コネクタによって形成した
ことを特徴とする請求項８記載のコネクタ。
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
一端側を相手側コネクタに接続される端子と、端子を保持するコネクタ本体とを備え、端子の他端側を基板に接続するようにしたコネクタにおいて、
前記端子の一端側が配置されるコネクタ本体の一部を、基板の端部に設けた切り欠き部内に配置可能に形成し、
基板の一方の面上に配置されるコネクタ本体の他の部分を、切り欠き部内に配置される部分よりも基板の厚さ方向の寸法が小さくなるように形成し、
コネクタ本体における基板の切り欠き部内に配置される部分を、基板の一方の面上に配置される他の部分よりも基板の他方の面側に向かって突出し且つ基板の他方の面から外部に突出しないように形成した
ことを特徴とするコネクタ。
【請求項２】
前記コネクタ本体及び端子を、基板の切り欠き部内に配置される部分が基板に固定される部分に対して所定方向に変位可能に形成した
ことを特徴とする請求項１記載のコネクタ。
【請求項３】
前記コネクタ本体に、相手側コネクタに係合してコネクタ本体の接続解除向への移動を規制する係合部を設けた
ことを特徴とする請求項１または２記載のコネクタ。
【請求項４】
互いに厚さ方向一方の面同士が同一平面をなすように配置される一対の基板を接続するコネクタにおいて、
一方の基板に取り付けられる雄側コネクタと、他方の基板に取り付けられる雌側コネクタとを備え、
雄側コネクタ及び雌側コネクタを請求項１、２または３記載のコネクタによって形成した
ことを特徴とするコネクタ。
【請求項５】
互いに接続された雄側コネクタ及び雌側コネクタの各コネクタ本体に装着することにより、各コネクタ本体の接続解除方向への移動を規制するロック部材を備えた
ことを特徴とする請求項４記載のコネクタ。
【請求項６】
前記ロック部材を雄側コネクタ及び雌側コネクタの各コネクタ本体の周囲に配置される枠状の部材によって形成した
ことを特徴とする請求項５記載のコネクタ。
【請求項７】
基板にケーブルを接続するコネクタにおいて、
基板に取り付けられる基板側コネクタと、ケーブルの一端に取り付けられるケーブル側コネクタとを備え、
基板側コネクタを請求項１、２または３記載のコネクタによって形成し、
ケーブル側コネクタを請求項１、２または３記載のコネクタの少なくとも一部の部品を用いて形成した
ことを特徴とするコネクタ。
【請求項８】
前記基板側コネクタを雄側コネクタによって形成し、ケーブル側コネクタを雌側コネクタによって形成した
ことを特徴とする請求項７記載のコネクタ。
【手続補正２】
【補正対象書類名】明細書
【補正対象項目名】０００６
【補正方法】変更
【補正の内容】
【０００６】
本発明は前記目的を達成するために、一端側を相手側コネクタに接続される端子と、端子を保持するコネクタ本体とを備え、端子の他端側を基板に接続するようにしたコネクタにおいて、前記端子の一端側が配置されるコネクタ本体の一部を、基板の端部に設けた切り欠き部内に配置可能に形成し、基板の一方の面上に配置されるコネクタ本体の他の部分を、切り欠き部内に配置される部分よりも基板の厚さ方向の寸法が小さくなるように形成し、コネクタ本体における基板の切り欠き部内に配置される部分を、基板の一方の面上に配置される他の部分よりも基板の他方の面側に向かって突出し且つ基板の他方の面から外部に突出しないように形成している。